(57)【要約】【課題】書架やデスク等の家具ユニットを構成する支柱と連結フレームとの連結状態を解除せずに、支柱間に配置されるパネル支持用の横架材を着脱できるようにすること。【解決手段】左右一対の支柱１１の上下を連結フレーム１２，１３で相互に連結するとともに、これら連結フレーム間で横架材１４が支柱間に掛け渡されている。支柱１１の前後各面にはスロット穴１１Ａが形成される一方、横架材１４の長手方向両端部には、支柱の後面側に位置するスロット穴１１Ａに着脱可能なフック６２と、パネル１８を上下動させることで当該パネルを支持するフック６１が設けられている。横架材は、水平姿勢に対して斜めにして左右の支柱を後方にくぐるように位置させ、その後に水平に戻して手前側に引くことでフック６２をスロット穴１１Ａに引っ掛けることができる。【選択図】          図７
2004261378.tif 000002
【特許請求の範囲】
【請求項１】
左右一対の支柱と、これら支柱を相互に連結する連結フレームと、前記支柱間に掛け渡された横架材とを備えた家具ユニットにおいて、
前記支柱の後面側に被取付部がそれぞれ形成される一方、当該被取付部に着脱自在となる取付部が前記横架材の長手方向両側に設けられ、
前記横架材は、前記支柱と前記連結フレームとの連結状態を解除することなく前記支柱間に着脱自在に設けられていることを特徴とする家具ユニット。
【請求項２】
左右一対の支柱と、これら支柱を相互に連結する連結フレームと、前記支柱間に掛け渡された横架材とを備えた家具ユニットにおいて、
前記支柱の後面側にスロット穴が形成される一方、当該スロット穴に着脱自在となるフックが前記横架材の長手方向両側に設けられ、
前記フックは、前記支柱と前記連結フレームとの連結状態を解除することなくユニット前方位置からの操作で前記スロット穴に着脱自在に設けられていることを特徴とする家具ユニット。
【請求項３】
前記横架材の前面部に対して上下動させて着脱自在に支持されるパネルを更に含み、当該上下動操作を許容するための隙間は、支柱の上部間に位置する連結フレームに隠蔽部を設けることによって隠蔽されることを特徴とする請求項１又は２記載の家具ユニット。
【請求項４】
前記パネルは、前記横架材に支持されたときに、前面が前記支柱の前面よりも後方に退避した位置となることを特徴とする請求項３記載の家具ユニット。
【発明の詳細な説明】
【０００１】
【発明の属する技術分野】
本発明は家具ユニットに係り、更に詳しくは、書架システムやデスクシステムにおける左右一対の支柱に対し、横架材を簡易且つ迅速に着脱することができ、これに支持される部材のレイアウト変更等に対応することのできる家具ユニットに関する。
【０００２】
【従来の技術】
従来より、書架システムやデスクシステム等に適用できる支持体を構成する家具ユニットは、左右一対の支柱と、これら支柱の上下を相互に連結する連結フレームと、上下の連結フレーム間で支柱間に配置された複数の横架材と、当該横架材に支持されたパネルとを備えたものが知られている。この家具ユニットは、支柱の前面に形成されたスロット穴を利用してブラケットを係り合わせ、当該ブラケットに棚板を支持させて書架を構成したり、或いは、所定の高さ位置に天板を配置して上方に棚板を備えたデスクを構成する。
【０００３】
【発明が解決しようとする課題】
しかしながら、このような家具ユニットにあっては、前記支柱、連結フレーム及び横架材の相互連結を、ボルトを用いて行なっているのが通常であるため、部品点数が増加するだけでなく、工具を用いた作業が要求されることとなる。また、例えば、パネルを支持する横架材の位置を変更する必要が生じたときに、支柱と連結フレームとの連結状態を解除しなければならず、一部のパネルを中抜きするようなレイアウトの変更を容易に行うことができないという不都合がある。しかも、このような作業は、家具ユニットの後方或いは側方から行う必要がある場合もあり、例えば、複数の家具ユニットを前後対向配置若しくは左右連続配置として組み合わせた場合には、それら各ユニット毎の連結も解除しなければならず、作業が非常に大がかりになるという不都合もある。
【０００４】
また、パネルを横架材に支持させる構成としては、パネル後面に突部を設けておき、この突部を横架材の前面に形成した穴に押し込んで嵌合させる構成が知られている。しかしながら、この構成によると、横架材からパネルを取り外すための構成が複雑になる傾向がある他、パネル装着時に比べて取り外し作業が面倒になる、という不都合がある。この場合、パネルを横架材の前面に対して上下動させることで着脱できるようにすれば構造を簡単なものとすることができるが、パネルの上下動を許容するための隙間が上部側に必然的に生じてしまうという不都合を招来する。しかも、上下動によるパネル着脱構造の場合、地震による脱落も生じ易くなり、製品精度としての信頼性も劣るものとなる。
【０００５】
【発明の目的】
本発明は、このような不都合に着目して案出されたものであり、その目的は、支柱と連結フレームとの連結状態を保った状態で、横架材の着脱を前方位置すなわち手前側位置で容易に行うことができ、デスクから書架、或いはその反対にシステムを変更する場合、更には、一部の構成部品の着脱等に難なく対応することのできる家具ユニットを提供することにある。
【０００６】
本発明の他の目的は、横架材にパネルを支持させる構成としたときに、当該横架材の前面に対して上下動させてパネルを着脱自在とし、且つ、当該上下動を許容することによって生じる隙間の隠蔽と、振動が発生した際のパネル脱落も効果的に防止することのできる家具ユニットを提供することにある。
【０００７】
【課題を解決するための手段】
前記目的を達成するため、本発明は、左右一対の支柱と、これら支柱を相互に連結する連結フレームと、前記支柱間に掛け渡された横架材とを備えた家具ユニットにおいて、
前記支柱の後面側に被取付部がそれぞれ形成される一方、当該被取付部に着脱自在となる取付部が前記横架材の長手方向両側に設けられ、
前記横架材は、前記支柱と前記連結フレームとの連結状態を解除することなく前記支柱間に着脱自在に設けられる、という構成を採っている。
具体的には、前記支柱の後面側にスロット穴が形成される一方、当該スロット穴に着脱自在となるフックが前記横架材の長手方向両側に設けられ、
前記フックは、前記支柱と前記連結フレームとの連結状態を解除することなく前方位置からの操作で前記スロット穴に着脱自在に設けられる、という構成を採ることができる。このような構成によると、横架材を水平方向に対して若干傾けるようにして当該横架材のフックを支柱の後面側に位置させて水平姿勢に戻し、これを手前側に引くようにしてフックをスロット穴に係り合わせることができる。これにより、家具ユニットの前面側若しくは手前側位置にて横架材を支柱間に配置することが可能となる。この一方、横架材を取り外すときは、当該横架材を若干持ち上げた後に後方に移動させることでスロット穴からフックを抜き出すことができ、この状態で横架材を傾けることで手前側に取り出し可能となる。
【０００８】
また、本発明は、記横架材の前面部に対して上下動させて着脱自在に支持されるパネルを更に含み、当該上下動操作を許容するための隙間は、所定の隠蔽部を設けることによって隠蔽されるように設けられている。この際、パネルは、前記横架材に支持されたときに、前面が前記支柱の前面よりも後方に退避した位置となるようにするとよい。このような構成では、パネルの着脱が上下方向に沿う移動によって行えるため、パネルを着脱自在に支持するための構造を簡単なものとすることができる。因みに、パネルの支持は、横架材の前面側にフックを設ける一方、パネル後面側に、当該フックの挿抜を許容するスロットを例示することができる。また、パネルを上下動させて横架材に着脱自在としても、前記隠蔽部の存在によって、家具ユニットの上端に生じる隙間が隠蔽されるため、外観上の体裁を良好に確保することができる他、振動発生時にパネルが支持位置から不用意に脱落することを隠蔽部によって規制することができる。更に、パネルの前面が支柱の前面より後退した位置で装着される構成となるから、支柱に棚板や天板等を支持させたときに、当該棚板、天板の後端とパネルとの間に配線用の隙間を形成することもできる。
【０００９】
【実施例】
以下、本発明の実施例を図面を参照しながら説明する。
【００１０】
図１には、本発明に係る家具ユニットが適用されたデスクの概略斜視図が示され、図２には、その正面図が示されている。また、図３には、後述するカバーを省略した図２の左側面図が示され、図４には家具ユニットの分解斜視図が示されている。これらの図において、デスク１０は、家具ユニットＵと、この家具ユニットの外周領域に設けられたトップカバーＣ１及びサイドカバーＣ２と、家具ユニットＵの上部に配置された上下二段の棚板Ｔと、この棚板Ｔの下方位置で所定の高さ位置に配置された天板Ｐとにより構成されている。
【００１１】
家具ユニットＵは、左右一対の支柱１１，１１と、これら支柱１１，１１の上端部間及び下端部よりやや上方位置間を相互に連結する上部連結フレーム１２及び下部連結フレーム１３と、これら連結フレーム１２，１３間において、支柱１１，１１間に配置された複数の横架材１４と、当該横架材１４に支持されたパネル１５とからなる。
【００１２】
前記支柱１１は、例えば、押出成形法により得られた略中空の角柱パイプ状をなし、その前後各面に、上下方向に沿って延びる被取付部としてのスロット穴１１Ａが形成され、このスロット穴１１Ａを利用して前記天板Ｐの後部と棚板Ｔがそれぞれ支持されるようになっている。また、支柱１１の下端部には、床面に沿う水平脚２０，２０が設けられ、これにより、前記上下の各連結フレーム１２，１３で各支柱１１を連結したときに自立可能となる。ここで、各支柱１１の下端部領域の内部には補強部材２２，２２がそれぞれ配置されている。補強部材２２は、図４に示されるように、横断面が略コ字状となる形状に設けられているとともに、その上下方向長さは、前記下部連結フレーム１３を支柱１１間に配置したときに、当該連結フレーム１３を天板１４の手前に着座した者の膝領域に位置させることができる長さに設定されている。
【００１３】
前記補強部材２２の図４中上端部領域において、その内側面の上下二箇所にナット部材２４，２４が溶接により固定されている。そして、これらのナット部材２４の中心ねじ穴と同軸線上に位置する貫通穴２５，２５が補強部材２２の面内に形成されている。この一方、支柱１１の左右側面すなわち外側面１１Ｂ，内側面１１Ｃには、前記補強部材２２を支柱１１の下端から挿入して当該補強部材２２の下端位置と支柱１１の下端位置とを一致させたときに前記ナット部材２４及び貫通穴２５と同軸上に位置する部分に連結用穴２６，２６が形成されている。また、これらの連結用穴２６の上下各隣接位置と、支柱１１の下端近傍位置には溶接用穴２７が支柱１１の上下方向三箇所に形成されている。従って、補強部材２２を支柱１１の下端から挿入し、前記溶接用穴２７を通じて補強部材２２，２２を支柱１１の各内側面に対して三箇所で溶接固定することができる。また、図４に示されるように、支柱１１の上端側と、中間よりやや下方及び下部側には、外側面１１Ｂ及び内側面１１Ｃを同軸線上に開通するボルト挿入穴１７が形成されており、最上位の支柱内側面１１Ｃ内には、ナット部材１８（図１０，１２参照）が固定されている。
【００１４】
前記上部連結フレーム１２は、図４ないし図６に示されるように、上部を開放形状とした略Ｃチャンネル状の内部空間を備えたフレーム本体２８と、このフレーム本体２８の長手方向両端に設けられたフック部材２９とにより構成されている。フレーム本体２８は、平面視略長方形状をなす底面３０と、この底面３０の短寸幅方向両端から上方に向けられた前後一対の起立面３１，３１と、これら起立面３１，３１の上端から内方に屈曲された前後一対の頂面３２，３２とからなり、底面３０の長手方向両側には、長孔３０Ａ，３０Ａが形成されている。この一方、フック部材２９は、前記底面３０の長手方向両端部にそれぞれ位置するベース３３と、このベース３３に連なって本体フレーム２８の長手方向端部を閉塞するように起立するとともに、略中央部に穴３４Ａが形成された端面形成部３４と、この端面形成部３４の上端中央部から外側下向きに折り曲げられたフック面部３６とにより構成されている。フック部材２９は、フレーム本体２８の長手方向両端に位置させた状態で溶接固定される。
【００１５】
前記フレーム本体２８内において、長孔３０Ａ，３０Ａが形成されている位置には、前記トップカバーＣ１を固定するための固定用治具３８，３８がそれぞれ配置される。これらの固定用治具３８は、本体フレーム２８内に収まる前後幅となるＵ字状部材３９と、このＵ字状部材３９の上端から外側に向けられて前記フレーム本体２８の頂面３２との間に後述するトップカバーＣ１の下面側部分を挟み込む片部材４０とからなる。ここで、Ｕ字状部材３９の下端平面３９Ａの面内には、前記本体フレーム２８の底面３０に形成された長孔３０Ａの領域内に収まるナット４１が固定されている。
【００１６】
図５及び図６に示されるように、フレーム本体２８の下部すなわち前記底面３０の下面側には、隠蔽部材４２が取り付けられるようになっている。この隠蔽部材４２は、底面３０の下面に沿って長手方向に延びる取付面部４４と、この取付面部４４の短寸幅方向前端から垂下する隠蔽部としての前垂下面部４５と、取付面部４４の後端から垂下して前垂下面部４５と略平行となる後垂下面部４６とからなる。取付面部４４の長手方向両端側には、前記長孔３０Ａの領域内に位置する穴４４Ａ，４４Ａが形成されており、各穴４４Ａに対して下方からボルト４７を挿入して前記固定用治具３８のナット４１に締め付けることで、フレーム本体２８に対して固定用治具３８及び隠蔽部材４２が一体化される。
【００１７】
前記下部連結フレーム１３は、図２及び図４に示されるように、左右方向に延びる中空状をなす角柱パイプ５０と、この角柱パイプ５０の長手方向両端に溶接固定される連結片５１とにより構成されている。連結片５１は、角柱パイプ５０の長手方向に沿う端部を閉塞するとともに、当該角柱パイプ５０の上下方向幅よりも大きな長さに設けられて支柱１１の内側面に面接触する接触面部５２と、この接触面部５２の前後各縁に連なって角柱パイプ５０の前後各面側に折り曲げられた補強屈曲面部５３とにより構成されている。接触面部５２の上下各中央部には、ボルト挿入穴５２Ａ，５２Ａがそれぞれ形成されており、これらのボルト挿入穴５２Ａと支柱１１の連結用穴２６とを一致させてボルト５４をねじ込むことにより、当該ボルト５４が支柱１１内に位置するナット部材２４に締め付けでき、これにより、下部連結フレーム１３を支柱１１間に配置することができる。
【００１８】
前記横架材１４は、図２及び図３に示されるように、上下方向における四箇所で支柱１１，１１間に配置されている。これらの横架材１１は相互に同一構造を備えている。この横架材１１は、後方側から見た図７に示されるように、支柱１１間に延びるとともに縦断面形状が略コ字状をなす本体６０と、この本体６０の長手方向両端側に設けられた上向きの前部フック６１及び下向きの後部フック６２（取付部）とからなる。本体６０は、略鉛直面内に位置する前面部６４と、この前面部６４の上端及び下端から後方に向けられた上平面部６５及び下平面部６６と、これら上平面部６５及び下平面部６６の後端からそれぞれ垂下した上部後面部６８及び下部後面部６９により構成されている。上部後面部６８及び下部後面部６９は、その長手方向長さが上平面部６５及び下平面部６６の長手方向長さよりも長く設けられており、それらの端部に前記後部フック６２，６２が前方下向きに設けられ、これにより、各後部フック６２，６２が、支柱１１の後面に形成されたスロット穴１１Ａに着脱自在となっている。また、前記本体６０において、前面部６４の長手方向両端側に前部フック６１が前方上向きに設けられ、このフック６１を利用してパネル１５を引っ掛けるようにして当該パネル１５が支持可能となっている。
【００１９】
前記パネル１５は、図８及び図９に示されるように、略鉛直面内に位置する前面７１と、この前面７１の外周縁から後方に向けられた上下及び左右の周壁面７２と、これら周壁面７２の後端縁から内側に向けられた折り曲げ面７３とにより構成されている。周壁面７２の前後幅（図９中左右幅）は、前記横架材１４にパネルを支持させたときに、前面７１が支柱１１の前面よりも後方に退避した位置となる寸法に設定されている（図３参照）。また、パネル１５の左右両側に位置する折り曲げ面７３には、その上下二箇所にスロット７５が形成されている。従って、パネル１５を上下動させることで、スロット７５に横架材１４の前部フック６１を受容して当該フック６１に係り合わせることができ、これにより、パネル１５が横架材１４に支持可能となる。本実施例では、図３に示されるように、上方二つの横架材１４，１４に上部のパネル１５が支持され、これより下方に位置する二つの横架材１４，１４に上下方向寸法が相対的に大きく設けられた下部のパネル１５が支持される。これらパネル１５を横架材１４に支持させた状態では、図９に示されるように、前述した隠蔽部材４２における前垂下面部４５の下端位置よりも上部のパネル１５の上端が上方に位置するようになっており、従って、正面からデスク１０を見たときに、上部連結フレーム１２とパネル１５の上端との間に隙間を表出させることがない。
【００２０】
図４ないし図６に示されるように、前記トップカバーＣ１は押出成形による一体成形品として形成されている。このトップカバーＣ１は、支柱１１，１１間に延びる長さを備えた細長い長方形状をなすトップ面８０と、このトップ面８０の前後各端部にそれぞれ連なる下向き湾曲面８１，８１と、これら下向き湾曲面８１，８１の下端から上向きに設けられてトップ面８０の下面側に連なる連結面８３，８３と、これら連結面８３，８３よりも内側位置において、リブ状のスペーサ部８４，８４を介して設けられた水平面８５，８５とを備えて構成されている。ここで、前記湾曲面８１，連結面８３，スペーサ部８４及び水平面８５は、図５中紙面直交方向に沿って延び、前記トップ面８０と略同様の長さに設けられている。このトップカバーＣ１は、前記トップ面８０と下面側の水平面８５との間の溝状をなす隙間に固定用ジグ３８の片部材４０を受容できるようになっている。従って、この隙間内に、固定用治具３８の片部材４０が位置するようにトップカバーＣ１の長手方向端部から固定用治具３８を差し込み、当該固定用治具３８を上部連結フレーム１２内に落とし込んだ状態で、固定用治具３８のナット４１位置にボルト４７の締め付けを行うことにより、片部材４０と上部連結フレーム１２の頂面３２との間に水平面８５を挟み込んでトップカバーＣを固定することができる。
【００２１】
前記サイドカバーＣ２は押出成形による一体成形品として形成されている。このサイドカバーＣ２は、図２、図１０ないし図１２に示されるように、支柱１１と略同一の長さを有するとともに、当該支柱１１の前後幅よりも大きな幅を備えて構成されている。これを更に詳述すると、サイドカバーＣ２は、横断面形状が略円弧状に設けられるとともに支柱１１に沿って延びるサイド面部９０と、このサイド面部９０の前後（図１０中上下）各端部から支柱１１の前面及び後面に向かって延びる前後一対の内側面部９１，９１とからなる。サイド面部９０の内面側には、支柱１１の外側面１１Ｂに向かう前後一対の起立壁９２，９２がサイド面部９０の長手方向（図１０中紙面直交方向）に沿って形成されており、これらの起立壁９２，９２の相対面には、支柱１１の上部空間内で、外側面１１Ｂを貫通するボルト９４と、支柱１１の内側面１１Ｃと外側面１１Ｂとを貫通するボルト９５（図１１参照）のねじ込みを許容するためのギザ歯９２Ａが形成されている。なお、起立壁９２，９２の先端には、当該起立壁９２と直交する外側に向けられた位置決め片９６，９６が形成され、この位置決め片９６，９６が支柱１１の外側面１１Ｂに突き当てられた状態で、前記内側面部９１，９１が支柱１１のスロット１１Ａ，１１Ａを完全に閉塞することを防止し、後述するブラケットの着脱を許容するようになっている。
【００２２】
前記棚板Ｔは、支柱１１のスロット穴１１Ａに引っ掛けて支持された各一対をなす公知のブラケット１００，１００を介してそれぞれ支持されている。各棚板Ｔは、平面視略方形状をなし、それらの後端左右両側が支柱１１の前面に略突き当たる状態でブラケット１００，１００にそれぞれ支持されている。また、天板Ｐは平面視略方形状をなし、前部下面側において、左右二箇所位置が脚柱１０１，１０１によって支持されている一方、後部下面側の左右二箇所がブラケット１０３，１０３によって支持されている。この天板Ｐは、その後端左右両側が支柱１１の前面に略突き当たる状態でブラケット１０３，１０３上に支持されている。なお、ブラケット１０３も、後端部に設けられた図示しないフックを支柱１１のスロット穴１１Ａに引っ掛けて当該支柱１１に支持される構造となっている。
【００２３】
次に、本実施例におけるデスク１０の組み立て方法と、横架材１４及びパネル１５の着脱方法について説明する。
【００２４】
まず、家具ユニットＵの支柱１１を形成する際には、当該支柱１１の下端に水平脚２０を固定する前に、当該支柱１１の下端から補強部材２２を挿入する。そして、補強部材２２の下端と支柱１１の下端とが略一致する状態で、溶接用穴２７を利用してこれらを相互に溶接する。これにより、補強部材２２上のナット部材２４，２４は、支柱１１の下端より内方すなわち上方に所定距離離れて位置し、ナット部材２４の中心ねじ穴が支柱１１の連結用穴２６にそれぞれ一致し、内外に開通した状態となる。そして、各支柱１１の下端に水平脚２０を固定する。
【００２５】
このようにして支柱１１を完成させた後、各支柱１１，１１を対向配置させておき、当該支柱１１を上部連結フレーム１２及び下部連結フレーム１３で相互に連結する。上部連結フレーム１２を支柱１１間に配置するに先立ち、当該上部連結フレーム１２を構成するフレーム本体２８の長手方向両端部にフック部材２９，２９を予め溶接固定しておく。そして、これらのフック部材２９，２９を支柱１１，１１における内側面１１Ｃの上端部に引っ掛け、フック部材２８の端部形成部３４に形成された穴３４Ａにボルト１０５を挿入し、当該ボルト１０５を支柱１１の上端部内面側に配置されたナット部材１８にねじ込む。これにより、支柱１１の上端部間が上部連結フレーム１２によって連結されることとなる。
【００２６】
この一方、下部連結フレーム１３を支柱１１間に連結する場合には、角柱パイプ５０の長手方向両端に予め溶接固定された連結片５１を支柱１１の内側面１１Ｃにあてがい、連結片５１のボルト挿入穴５２Ａを前記連結用穴２６に一致させてボルト５４をねじ込めば当該ボルト５４を支柱１１内に位置するナット部材２４に締結させることができる。
【００２７】
次いで、上部連結フレーム１２にトップカバーＣ１と、支柱１１の外側面１１Ｂ側にサイドカバーＣ２を装着する。トップカバーＣ１の装着に際しては、当該トップカバーＣ１の下面側に設けられた水平面８５に固定用治具３８を引っ掛けておき、トップカバーＣ１を固定用治具３８と共に上方から降ろしてフレーム本体２８内に受容させる。そして、フレーム本体２８の下面側に、隠蔽部材４２を位置させておき、ボルト４７を下方から挿入して前記固定用治具３８のナット４１に締め付け、これにより、トップカバーＣ１の上部連結フレーム１２への固定が完了する。
【００２８】
一方、サイドカバーＣ２は、図１２に示されるように、その上端部を支柱１１の上部空間から外側面１１Ｂを貫通するボルト９４をギザ歯９２Ａにねじ込み、それ以下となる他の部位は、支柱１１の内側面１１Ｃから外側面１１Ｂを貫通するように各ボルト挿入穴１７にボルト９５を挿入し、前記ギザ歯９２Ａにそれぞれねじ込めばよい。
【００２９】
パネル１８を装着する際には、図７に示されるように、横架材１４を支柱１１の後面側に設けられたスロット穴１１Ａに後部フック６２を引っ掛ければよい。この作業は、後方に回って行うことができるが、前方位置にて行うことができる。すなわち、横架材１４を水平姿勢から傾けた状態として全体を支柱１１，１１の後方に位置させればよい。そして、横架材１４を水平姿勢に戻し、手前側に引くようにして後部フック６２をスロット穴１１Ａに差し込み、若干降下させることで横架材１４を支柱１１，１１間に完全に掛け渡すことができる。上下方向において、各横架材１４を所定間隔を隔てた位置に配置した後、下部のパネル１５を最下段の横架材１４と、これの上方に位置する横架材１４を利用してそれらの前部フック６４に位置を合わせ、パネル１５を略鉛直姿勢として上方から下方に降ろすようにして引っ掛ける。次に、上部のパネル１５を上方二本の横架材１４，１４に同様の作業にて引っ掛ける。この際、図９に示されるように、上部のパネル１５は、隠蔽部材４２の取付面部４４に接近した位置まで持ち上げられ、前部フック６１がスロット７５に入り込んで下降したときに図９中二点鎖線位置から実線位置に移動することとなる。従って、その移動代に対応した隙間が前方から見たときにパネル１５の上方に生じることになるが、本実施例では、前垂下面部４５が隠蔽部として作用するため、前記隙間は前方からは見えないこととなる。
【００３０】
このようにしてパネル１５の装着を完了した後に、支柱１１の所定高さ位置にブラケット１００，１０３を装着した後、棚板Ｔ及び天板Ｐをパネル１５の前方に組み立てることでデスク１０を完成させることができる。
【００３１】
なお、デスク１０を完成させた後に、例えば、上部のパネル１５を取り外す場合には、当該パネル１５を上方に移動させ、横架材１４の前部フック６１とパネル１５のスロット７５との係り合いを解除させて取り外せばよい。そして、横架材１４を持ち上げて、前部フック６１を支柱１１のスロット穴１１Ａから脱出させ、若干傾けて前方に引き出すことで横架材１４の取り外しを行うことが可能となる。
【００３２】
従って、このような実施例によれば、全ての組み立て作業をデスク１０の前方位置で行うことができる、という効果を得る。特に、パネル１５の配置レイアウトを変更するような場合には、前部フック６１が支柱１１の後面側に設けられたスロット穴１１Ａに係り合う構成とされているため、上部連結フレーム１２と下部連結フレーム１３による支柱１１相互の連結を解除することなく横架材１４の取り外しと、位置替えを行うことができる。従って、実施例におけるデスク１０を、例えば、書架に変更する場合に、システム変更作業を極めて容易に行うことが可能となる。
【００３３】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、数量、その他の詳細な構成において、当業者が様々な変形を加えることができるものである。
従って、上記に開示した形状、位置、数量などを限定した記載は、本発明の理解を容易にするために例示的に記載したものであり、本発明を限定するものではないから、それらの形状等などの限定の一部若しくは全部の限定を外した部材の名称での記載は、本発明に含まれるものである。
【００３４】
例えば、前記実施例では、上下二段のパネル１５を採用した場合を示したが、一枚のパネルや、三枚以上のパネルとしてもよい。複数のパネルを採用した後においては、例えば、その後に一部のパネルを中抜きして利用することもできる。
【００３５】
また、隠蔽部として作用する前垂下面部４５は、上部連結フレーム１２と別体の構成としたが、上部連結フレーム１２の形状を変更することで、当該上部連結フレーム１２と一体化させることもできる。これによれば、部品点数の削減を図ることができる。但し、前記実施例の構成によれば、例えば、隠蔽部材４２の材質や、色彩を上部連結フレーム１２と異ならせる設計が容易となり、家具ユニットの意匠的な効果を変化させることが容易となり、製品価値を向上させて購買意欲を惹起せしめることが期待できる。
【００３６】
【発明の効果】
以上説明したように、本発明によれば、家具ユニットの前面側若しくは手前側位置にて横架材を支柱間に配置することができ、ユニットを使用している際のレイアウト変更に際して負担なく作業を行うことが可能となる。
【００３７】
また、パネルの着脱が上下方向に沿う移動だけでよいため、パネルを着脱自在に支持するための構造を簡単なものとすることができる。しかも、パネルを上下動させて横架材に着脱自在とする構成であっても、隠蔽部の存在により、家具ユニットの上端に生じる隙間が隠蔽されるため、外観上の体裁を良好に確保することができる他、振動発生時にパネルが支持位置から不用意に脱落することを隠蔽部によって規制することもできる、という従来にない優れた効果を奏する家具ユニットを提供することができる。
【図面の簡単な説明】
【図１】本発明が適用されたデスクの概略斜視図。
【図２】前記デスクの正面図。
【図３】サイドカバーを外した図１の左側面図。
【図４】家具ユニットの概略分解斜視図。
【図５】図１のＡ−Ａ線に沿う矢視拡大断面図。
【図６】前記家具ユニットの上部構造を示す要部分解斜視図。
【図７】横架材、支柱及びパネルを一部後方から見た概略斜視図。
【図８】パネルの背面図。
【図９】横架材にパネルを支持させた状態を示す概略縦断面図。
【図１０】図１のＢ−Ｂ線に沿う矢視拡大断面図。
【図１１】図１のＣ−Ｃ線に沿う矢視拡大断面図。
【図１２】図１のＤ−Ｄ線に沿う矢視拡大断面図。
【符号の説明】
１０  デスク
１１  支柱
１１Ａ  スロット穴
１２  上部連結フレーム
１３  下部連結フレーム
１４  横架材
１５  パネル
３８  固定用治具
４０  片部材
４２  隠蔽部材
４５  前垂下面部（隠蔽部）
６１  前部フック
６２  後部フック
７５  スロット
Ｕ  家具ユニット
【図１】
2004261378.tif 000003
【図２】
2004261378.tif 000004
【図３】
2004261378.tif 000005
【図４】
2004261378.tif 000006
【図５】
2004261378.tif 000007
【図６】
2004261378.tif 000008
【図７】
2004261378.tif 000009
【図８】
2004261378.tif 000010
【図９】
2004261378.tif 000011
【図１０】
2004261378.tif 000012
【図１１】
2004261378.tif 000013
【図１２】
2004261378.tif 000014